(57)【要約】  収音部に対する音声の入力が良好に行われる収音装置を提供する。  収音部が取り付けられ外耳道に挿入される取付部と、外耳道に挿入され前記取付部を外耳道の所定の位置に保持する保持部と、前記保持部を挟んで前記取付部の反対側に位置され少なくとも一部が耳介に係合される装着部とを備え、前記取付部と前記保持部は外耳道を閉塞せず音響透過性を有する。これにより、収音部が取り付けられ外耳道に挿入される取付部と取付部を外耳道の所定の位置に保持する保持部とが耳に対して外耳道を閉塞しない状態で位置されるため、収音部に対する音声の入力が良好に行われる収音装置を提供することができる。
2020021815.tif 000002
【特許請求の範囲】
【請求項１】
収音部が取り付けられ外耳道に挿入される取付部と、
外耳道に挿入され前記取付部を外耳道の所定の位置に保持する保持部と、
前記保持部を挟んで前記取付部の反対側に位置され少なくとも一部が耳介に係合される装着部とを備え、
前記取付部と前記保持部は外耳道を閉塞せず音響透過性を有する
収音装置。
【請求項２】
前記取付部が外耳道において中空に保持される
請求項１に記載の収音装置。
【請求項３】
前記収音部は音声入力孔が外耳道の入口側に開口した状態で位置される
請求項１に記載の収音装置。
【請求項４】
前記収音部は音声入力孔が外耳道の入口に対して鼓膜側に位置される
請求項１に記載の収音装置。
【請求項５】
前記取付部と前記保持部が一体に形成された
請求項１に記載の収音装置。
【請求項６】
前記保持部と前記装着部が一体に形成された
請求項１に記載の収音装置。
【請求項７】
前記取付部が線状の材料によって所定の形状に形成された
請求項１に記載の収音装置。
【請求項８】
前記取付部がコイル状に形成された
請求項７に記載の収音装置。
【請求項９】
前記収音部が前記取付部の内側に位置された
請求項１に記載の収音装置。
【請求項１０】
前記収音部が前記取付部に着脱可能にされた
請求項１に記載の収音装置。
【請求項１１】
前記保持部が線状の材料によって所定の形状に形成された
請求項１に記載の収音装置。
【請求項１２】
前記保持部がコイル状に形成された
請求項１１に記載の収音装置。
【請求項１３】
前記保持部が弾性変形可能にされた
請求項１に記載の収音装置。
【請求項１４】
前記保持部が前記取付部に近付くに従って外形状が小さくなる形状に形成された
請求項１に記載の収音装置。
【請求項１５】
前記装着部が線状の材料によって所定の形状に形成された
請求項１に記載の収音装置。
【請求項１６】
前記装着部には前記保持部に連続され少なくとも一部が耳介に係合される内側係合部が設けられ、
前記内側係合部がコイル状に形成された
請求項１５に記載の収音装置。
【請求項１７】
前記装着部には前記保持部に連続され少なくとも一部が耳介に係合される内側係合部が設けられ、
前記内側係合部が前記保持部に離接する方向へ弾性変形可能にされ、
前記内側係合部が耳甲介腔に位置される
請求項１に記載の収音装置。
【請求項１８】
前記装着部には前記保持部に連続され少なくとも一部が耳介に係合される内側係合部が設けられ、
前記内側係合部の外径が外耳道の入口の径より大きくされた
請求項１に記載の収音装置。
【請求項１９】
前記装着部には一部が耳介の背面に係合される外側係合部が設けられた
請求項１に記載の収音装置。
【請求項２０】
前記外側係合部には一対の作用部が設けられ、
前記外側係合部は前記一対の作用部が離接する方向へ弾性変形可能にされ、
一方の前記作用部が耳介の背面に押し付けられる
請求項１９に記載の収音装置。
【発明の詳細な説明】
【技術分野】
【０００１】
本技術はユーザの耳に装着して用いられる収音装置についての技術分野に関する。
【背景技術】
【０００２】
最近、ユーザの耳に装着して用いられる挿耳型の収音装置が普及してきている。挿耳型の収音装置における録音方式としては、例えば、バイノーラル（Binaural）録音を挙げることができる。バイノーラル録音は、ユーザ毎の頭部や身体や耳たぶの形状などの個人差を考慮して、個々のユーザの鼓膜に届く状態に近い音を記録することである。【０００３】
バイノーラル録音された音声をイヤホンやヘッドホンで聴取すると、あたかも録音時の現場に居合わせたかのような臨場感を再現することができる。また、バイノーラル録音した音声信号に基づいて、ユーザ毎の頭部や身体や耳たぶなどの人体の各部位による回折や反射の影響に応じて生じる音の変化を表現した頭部伝達関数（Head-Related Transfer Function：ＨＲＴＦ）を求めることができる。例えば、通常の音源（ドライソース）から再生される音声信号に対して頭部伝達関数を畳み込むことで、バーチャルに音像定位して、臨場感を再現することができる。【０００４】
また、挿耳型の収音装置の他の用途として、例えば、イヤホンやヘッドホンなどの装着型の音響出力装置と併用してノイズキャンセリングを行うことなども挙げられる。【０００５】
挿耳型の収音装置を用いてバイノーラル録音を行う技術については既に幾つかの提案がなされている（例えば、特許文献１及び特許文献２参照）。
【先行技術文献】
【特許文献】
【０００６】
【特許文献１】特開２００４−１２８８５４号公報
【特許文献２】特表２００８−５１２０１５号公報
【発明の概要】
【発明が解決しようとする課題】
【０００７】
ところで、バイノーラル録音を行う挿耳型の収音装置の多くは、マイクロフォンなどの収音部がユーザの外耳道の外側に配置され、また、収音部を保持する装置本体がユーザの耳穴をほぼ完全に塞ぐ密閉構造になっている。【０００８】
従って、収音部に対して音声の入力が良好に行われないおそれがある。特に、音波の伝播が阻害されたり音波の反射や回折が生じてしまうと、正確な頭部伝達関数の測定に支障を来してしまう。【０００９】
そこで、本技術は、収音部に対する音声の入力が良好に行われる収音装置を提供することを目的とする。
【課題を解決するための手段】
【００１０】
第１に、本技術に係る収音装置は、収音部が取り付けられ外耳道に挿入される取付部と、外耳道に挿入され前記取付部を外耳道の所定の位置に保持する保持部と、前記保持部を挟んで前記取付部の反対側に位置され少なくとも一部が耳介に係合される装着部とを備え、前記取付部と前記保持部は外耳道を閉塞せず音響透過性を有するものである。【００１１】
これにより、収音部が取り付けられ外耳道に挿入される取付部と取付部を外耳道の所定の位置に保持する保持部とが耳に対して外耳道を閉塞しない状態で位置される。【００１２】
第２に、上記した収音装置においては、前記取付部が外耳道において中空に保持されることが望ましい。【００１３】
これにより、取付部が外耳道を形成する壁面に接触し難い。【００１４】
第３に、上記した収音装置においては、前記収音部は音声入力孔が外耳道の入口側に開口した状態で位置されることが望ましい。【００１５】
これにより、外耳道に入力される音声が収音部に確実かつ円滑に入力される。【００１６】
第４に、上記した収音装置においては、前記収音部は音声入力孔が外耳道の入口に対して鼓膜側に位置されることが望ましい。【００１７】
これにより、外耳道に入力される音声が収音部に確実に入力される。【００１８】
第５に、上記した収音装置においては、前記取付部と前記保持部が一体に形成されることが望ましい。【００１９】
これにより、取付部と保持部を結合させる作業を必要としない。【００２０】
第６に、上記した収音装置においては、前記保持部と前記装着部が一体に形成されることが望ましい。【００２１】
これにより、保持部と装着部を結合させる作業を必要としない。【００２２】
第７に、上記した収音装置においては、前記取付部が線状の材料によって所定の形状に形成されることが望ましい。【００２３】
これにより、取付部の太さが細く取付部による音波の反射や回折が生じ難い。【００２４】
第８に、上記した収音装置においては、前記取付部がコイル状に形成されることが望ましい。【００２５】
これにより、取付部の体積が小さく取付部による音波の反射や回折が生じ難い。【００２６】
第９に、上記した収音装置においては、前記収音部が前記取付部の内側に位置されることが望ましい。【００２７】
これにより、収音部が外耳道において中空に保持され、外耳道を形成する壁面に接触しない。【００２８】
第１０に、上記した収音装置においては、前記収音部が前記取付部に着脱可能にされることが望ましい。【００２９】
これにより、収音部が取付部に対して交換可能にされる。【００３０】
第１１に、上記した収音装置においては、前記保持部が線状の材料によって所定の形状に形成されることが望ましい。【００３１】
これにより、保持部の太さが細く保持部による音波の反射や回折が生じ難い。【００３２】
第１２に、上記した収音装置においては、前記保持部がコイル状に形成されることが望ましい。【００３３】
これにより、保持部の体積が小さく保持部による音波の反射や回折が生じ難い。【００３４】
第１３に、上記した収音装置においては、前記保持部が弾性変形可能にされることが望ましい。【００３５】
これにより、保持部が外耳道を形成する壁面に摺動され変形しながら外耳道に挿入可能になる。【００３６】
第１４に、上記した収音装置においては、前記保持部が前記取付部に近付くに従って外形状が小さくなる形状に形成されることが望ましい。【００３７】
これにより、取付部と保持部が外耳道に挿入されるときに保持部が外形状の小さい側から挿入される。【００３８】
第１５に、上記した収音装置においては、前記装着部が線状の材料によって所定の形状に形成されることが望ましい。【００３９】
これにより、装着部の太さが細く装着部による音波の反射や回折が生じ難い。【００４０】
第１６に、上記した収音装置においては、前記装着部には前記保持部に連続され少なくとも一部が耳介に係合される内側係合部が設けられ、前記内側係合部がコイル状に形成されることが望ましい。【００４１】
これにより、内側係合部の体積が小さく内側係合部による音波の反射や回折が生じ難い。【００４２】
第１７に、上記した収音装置においては、前記装着部には前記保持部に連続され少なくとも一部が耳介に係合される内側係合部が設けられ、前記内側係合部が前記保持部に離接する方向へ弾性変形可能にされ、前記内側係合部が耳甲介腔に位置されることが望ましい。【００４３】
これにより、内側係合部は耳介の一部に押し付けられた状態で耳甲介腔に位置される。【００４４】
第１８に、上記した収音装置においては、前記装着部には前記保持部に連続され少なくとも一部が耳介に係合される内側係合部が設けられ、前記内側係合部の外径が外耳道の入口の径より大きくされることが望ましい。【００４５】
これにより、内側係合部が外耳道に挿入されることがない。【００４６】
第１９に、上記した収音装置においては、前記装着部には一部が耳介の背面に係合される外側係合部が設けられることが望ましい。【００４７】
これにより、収音装置は、内側係合部が耳介の一部に係合されると共に外側係合部が耳介の背面に係合されることにより耳に装着される。【００４８】
第２０に、上記した収音装置においては、前記外側係合部には一対の作用部が設けられ、前記外側係合部は前記一対の作用部が離接する方向へ弾性変形可能にされ、一方の前記作用部が耳介の背面に押し付けられることが望ましい。【００４９】
これにより、一方の作用部と他方の作用部が離隔するように弾性変形させて外側係合部を開いた状態にし、開いた状態の一対の作用部の間に耳介を挿入することにより、収音装置を耳に装着することが可能になる。
【発明の効果】
【００５０】
本技術によれば、収音部が取り付けられ外耳道に挿入される取付部と取付部を外耳道の所定の位置に保持する保持部とが耳に対して外耳道を閉塞しない状態で位置されるため、収音部に対する音声の入力が良好に行われる収音装置を提供することができる。【００５１】
尚、本明細書に記載された効果はあくまでも例示であって限定されるものではなく、他の効果があってもよい。
【図面の簡単な説明】
【００５２】
【図１】図２乃至図３５と共に本技術収音装置の実施の形態を示すものであり、本図は、収音装置が装着される耳の斜視図である。
【図２】一部を断面にして示す耳の斜視図である。
【図３】収音装置の斜視図である。
【図４】収音装置の側面図である。
【図５】収音装置の正面図である。
【図６】一部を断面にして収音装置が耳に装着された状態を示す斜視図である。
【図７】収音装置が外耳道に挿入されている途中の状態を示す図である。
【図８】収音装置が耳に装着された状態を示す図である。
【図９】耳に装着される前に収音装置の一部が弾性変形された状態を示す側面図である。
【図１０】図１１乃至図３５と共に収音装置における各部の変形例等を示すものであり、本図は、取付部の第１の変形例を示す図である。
【図１１】取付部の第２の変形例を示す図である。
【図１２】取付部の第２の変形例において収音部の音声入力孔が形成された面と反対側の面に固定された例を示す図である。
【図１３】取付部の第２の変形例において取付部にフィルターが取り付けられた例を示す図である。
【図１４】保持部の第１の変形例を示す図である。
【図１５】保持部の第２の変形例を示す図である。
【図１６】保持部の第３の変形例を示す図である。
【図１７】保持部の第４の変形例を外耳道に挿入される前の状態で示す図である。
【図１８】保持部の第４の変形例を外耳道に挿入された状態で示す図である。
【図１９】保持部の第５の変形例を外耳道に挿入される前の状態で示す図である。
【図２０】保持部の第５の変形例を外耳道に挿入された状態で示す図である。
【図２１】保持部の第６の変形例を示す図である。
【図２２】保持部の第７の変形例を示す図である。
【図２３】内側係合部の変形例を示す図である。
【図２４】外側係合部の第１の変形例を示す図である。
【図２５】外側係合部の第２の変形例を示す図である。
【図２６】左耳用の収音装置と右耳用の収音装置とを接続する第１の接続態様を示す背面図である。
【図２７】左耳用の収音装置と右耳用の収音装置とを接続する第２の接続態様を示す背面図である。
【図２８】左耳用の収音装置と右耳用の収音装置とを接続する第２の接続態様を示す側面図である。
【図２９】左耳用の収音装置と右耳用の収音装置とを接続する第３の接続態様を示す背面図である。
【図３０】接続コードを装置本体に沿わせて位置させた例を示す斜視図である。
【図３１】接続コードの外周面と装置本体の外周面とを結合させた例を示す断面図である。
【図３２】装置本体の内部に接続コードを位置させた例を示す断面図である。
【図３３】接続コードを耳介の上側に通して位置させた例を示す側面図である。
【図３４】収音部が無線化された例を示す斜視図である。
【図３５】収音部として設けられたＭＥＭＳマイクロフォンが外耳道に挿入された状態を示す図である。
【発明を実施するための形態】
【００５３】
以下に、本技術収音装置を実施するための形態を添付図面に従って説明する。
【００５４】
＜耳の構造＞
先ず、収音装置が装着される耳の構造について説明する（図１及び図２参照）。
【００５５】
耳１００、１００は頭部２００の一部とされており、それぞれ耳介１０１、１０１と頭部２００の内部に存在する鼓膜や三半規管や蝸牛等の各部とから成る。頭部２００のうち耳介１０１、１０１の内側の部分はそれぞれ側頭部２０１、２０１であり、耳介１０１、１０１はそれぞれ側頭部２０１、２０１から左方又は右方に突出されている。
【００５６】
耳介１０１は内側空間１５０を有するように全体として略前方に開口された浅い凹状にされ、外周部が耳輪１０２と称される部分と耳輪１０２に連続され側頭部２０１の近傍に位置された耳輪脚１０３と称される部分とを有している。
【００５７】
耳輪１０２の内側の部分は凹状の舟状窩１０４と称され、舟状窩１０４の内側における下側略半分の部分は凸状の対耳輪１０５と称される。対耳輪１０５の上方には対耳輪１０５に連続して二股状の凸状の部分が存在し、この二股状の部分のうちの外側の部分と内側の部分がそれぞれ対耳輪上脚１０６と対耳輪下脚１０７と称される。対耳輪上脚１０６と対耳輪下脚１０７の間の部分は凹状の三角窩１０８と称され、対耳輪１０５及び対耳輪下脚１０７の内側の部分は凹状の耳甲介艇１０９と称される。
【００５８】
対耳輪１０５の下側に連続する部分は側頭部２０１側に稍膨出され、対耳珠１１０と称される部分である。対耳珠１１０に対向する側頭部２０１側の部分は対耳珠１１０側に稍膨出された耳珠１１１と称され、耳輪１０２の下側に連続する下端部が耳垂１１２と称される。
【００５９】
対耳珠１１０と耳珠１１１の間の部分には外耳道１１３の入口である外耳孔１１３ａが存在し、外耳道１１３は鼓膜や三半規管等に連通されている。耳介１０１の内側空間１５０のうち、対耳輪１０５と対耳輪下脚１０７と耳輪脚１０３によって囲まれた空間、即ち、耳甲介艇１０９の前側の空間は耳甲介腔１１４と称され、外耳道１１３の外耳孔１１３ａに連通されている。内側空間１５０のうち耳甲介腔１１４の下側に連続しＵ字状に開いた空間は珠間切痕１１５と称される空間である。
【００６０】
外耳道１１３は壁面１１３ｂによって囲まれた空間であり、外耳道１１３の奥側には鼓膜１１６が存在する。
【００６１】
耳介１０１の内側空間１５０は耳甲介腔１１４と珠間切痕１１５と外耳道１１３の外耳孔１１３ａ付近の空間とを含み、舟状窩１０４、対耳輪１０５、対耳輪上脚１０６、対耳輪下脚１０７、三角窩１０８、対耳珠１１０及び耳珠１１１の前側の空間をも含む空間である。
【００６２】
＜収音装置の構成＞
次に、収音装置１、１の構成について説明する（図３乃至図９参照）。収音装置１、１は一方が左の耳１００用として使用され他方が右の耳１００用として使用される。但し、何れか一方の収音装置１が使用されてもよい。
【００６３】
収音装置１は音声を収音する収音部２と収音部２が取り付けられる装置本体３とによって構成されている（図３乃至図５参照）。
【００６４】
収音部２は、例えば、小型のマイクロフォンであり、音声が入力される音声入力孔２ａを有している。収音部２に音声入力孔２ａを通って音声が入力されると、例えば、バイノーラル録音が行われ、録音された音声信号に基づいて頭部伝達関数が測定される。
【００６５】
装置本体３は取付部４と保持部５と装着部６によって構成され、取付部４と保持部５と装着部６が、例えば、それぞれ線状（ワイヤー状）の金属材料によって所定の形状に形成されている。装置本体３は、例えば、取付部４と保持部５と装着部６が一体に形成されている。取付部４と保持部５と装着部６は断面形状が、例えば、円形状の金属材料によって形成されている。但し、取付部４と保持部５と装着部６は断面形状が円形状に限られることはなく、耳１００に接したときの傷付きを防止する観点においては断面形状における外形状が曲面状、例えば、円形状や楕円形状や長穴状等に形成されていることが望ましい。
【００６６】
このように装置本体３は金属材料によって形成されているため、高い耐久性を確保することができる。但し、装置本体３は高い耐久性を確保することが可能であれば、樹脂材料等の金属材料以外の材料によって形成されていてもよく、針金等の金属材料の表面が樹脂によって被覆された構成等にされていてもよい。
【００６７】
また、上記のように取付部４と保持部５と装着部６が一体に形成されることにより、取付部４と保持部５を結合させる作業を必要としないと共に保持部５と装着部６を結合させる作業も必要としないため、収音装置１における部品点数の削減及び製造コストの低減を図ることができる。但し、収音装置１においては、取付部４と保持部５が一体に形成され保持部５と装着部６が別体で形成されていてもよく、取付部４と保持部５が別体で形成され保持部５と装着部６が一体に形成されていてもよい。また、取付部４と保持部５と装着部６がそれぞれ別体で形成されていてもよい。
【００６８】
取付部４はコイル状に形成され、軸方向において同じ大きさの外形状にされ、例えば、軸方向において隙間がない状態にされている。取付部４は収音部２を取り付ける機能を有し、収音部２とともに外耳道１１３の奥側に挿入され、鼓膜１１６の近傍に位置される（図６参照）。取付部４には内側に収音部２が取り付けられている（図３乃至図５参照）。取付部４に対する収音部２の取付は、例えば、接着や圧入によって行われていてもよく、また、収音部２が取付部４に対して着脱可能にされていてもよい。
【００６９】
収音部２が取付部４に着脱可能にされることにより、収音部２が取付部４に対して交換可能にされるため、収音部２を常に清潔に保つことができると共に収音部２のメンテナンス性の向上を図ることができる。また、収音部２が取付部４に着脱可能にされることにより、用途に応じた種類の収音部２を使用することができる。
【００７０】
保持部５は外径が取付部４の外径より大きいコイル状に形成され、取付部４の一端に連続して設けられている。保持部５の中心軸５ａと取付部４の中心軸４ａとは一致されている。但し、保持部５の中心軸５ａと取付部４の中心軸４ａとは必ずしも一致されている必要はなく、外耳道１１３に関して取付部４が保持部５より内側に位置されていればよい。保持部５は軸方向において隙間を有した状態にされ、取付部４に近付くに従って外形状が小さくなる形状に形成されている。保持部５は取付部４及び取付部４に取り付けられた収音部２を保持する機能を有し、取付部４とともに外耳道１１３に挿入される（図６参照）。
【００７１】
保持部５は中心軸５ａが屈曲する方向において弾性変形可能にされている。従って、保持部５が外耳道１１３を形成する壁面１１３ｂに摺動され変形しながら外耳道１１３に挿入可能になるため（図７参照）、取付部４及び保持部５の外耳道１１３への挿入を円滑かつ容易に行うことができる。
【００７２】
また、上記したように、保持部５は取付部４に近付くに従って外形状が小さくなる形状に形成されている。従って、取付部４と保持部５が外耳道１１３に挿入されるときに保持部５が外形状の小さい側から挿入されるため、取付部４及び保持部５の外耳道１１３への挿入を円滑かつ容易に行うことができる。
【００７３】
さらに、保持部５は取付部４に近付くに従って外形状が小さくなる形状に形成されているが、先端が尖った形状には形成されていないため、使用者が保持部５を外耳道１１３に挿入する際の恐怖感等が生じ難く、心理的な負担を抑制することができる。
【００７４】
さらにまた、収音部２を保持する取付部４の外径が保持部５の外径より小さくされているため、取付部４が外耳道１１３において中空に保持され易く、取付部４が外耳道１１３を形成する壁面１１３ｂに接触し難く、収音部２によって外耳道１１３に入力される音声による頭部伝達関数を正確に測定することができる。
【００７５】
また、取付部４と保持部５が外耳道１１３に挿入された状態において収音部２が取付部４の内側に取り付けられているため、外耳道１１３において中空に保持される。
【００７６】
従って、収音部２が外耳道１１３を形成する壁面１１３ｂに接触しないため、収音部２によって外耳道１１３に入力される音声による頭部伝達関数をより一層正確に測定することができる。
【００７７】
さらに、取付部４と保持部５が外耳道１１３に挿入された状態においては、収音部２は音声入力孔２ａが外耳道１１３の外耳孔１１３ａ側に開口した状態で位置されている。
【００７８】
従って、外耳道１１３に入力される音声が収音部２に確実かつ円滑に入力されるため、外耳道１１３に入力される音声による頭部伝達関数を一層正確に測定することができる。
【００７９】
加えて、収音部２は音声入力孔２ａが外耳道１１３の外耳孔１１３ａに対して鼓膜１１６側に位置されており、外耳道１１３に入力される音声が収音部２に確実に入力されるため、外耳道１１３に入力される音声による頭部伝達関数をより一層正確に測定することができる。
【００８０】
装着部６は内側係合部７と中間部８と外側係合部９が順に連続して構成されている（図３乃至図５参照）。
【００８１】
内側係合部７は外径が保持部５の外径より大きいコイル状に形成され、保持部５の一端に連続して設けられている。内側係合部７は、軸方向において同じ大きさの外形状にされ、中心軸７ａが装着部６の中心軸５ａと保持部５の中心軸４ａに対して軸方向に直交する方向において偏倚して位置されている。装着部６は軸方向において隙間を有した状態にされている。
【００８２】
内側係合部７は耳介１０１の一部に係合されて装着される部分であり、外径が外耳道１１３における外耳孔１１３ａの径より大きくされている。内側係合部７は保持部５に離接する方向である軸方向において弾性変形可能にされている。
【００８３】
内側係合部７は収音部２と取付部４と保持部５が外耳道１１３に挿入された状態において、耳甲介腔１１４に挿入される（図６参照）。内側係合部７は、軸方向における取付部４側の端面が耳甲介腔１１４を形成する奥側の面に接した状態にされ、軸方向において稍圧縮された状態で取付部４と反対側の面の各一部が弾性によって耳珠１１１又は対耳珠１１０に外耳道１１３側から押し付けられる。
【００８４】
このように内側係合部７は、保持部５に離接する方向へ弾性変形可能にされ、耳甲介腔１１４に位置される。
【００８５】
従って、内側係合部７は、上記したように、各一部が耳珠１１１又は対耳珠１１０に外耳道１１３側から押し付けられて耳甲介腔１１４に位置されるため、内側係合部７が耳介１０１に安定した状態で係合されて装着され、収音部２の外耳道１１３に対する位置の安定化を図ることができる。
【００８６】
また、内側係合部７の中心軸７ａが保持部５の中心軸５ａと取付部４の中心軸４ａに対して軸方向に直交する方向において偏倚されていることにより、取付部４及び保持部５と内側係合部７が外耳道１１３と耳甲介腔１１４の相対位置に応じた位置関係にされている。
【００８７】
従って、取付部４と保持部５を外耳道１１３に円滑かつ容易に挿入することができると共に内側係合部７を耳甲介腔１１４に円滑かつ容易に挿入して耳介１０１に装着することができる。
【００８８】
さらに、内側係合部７の外径が外耳道１１３の外耳孔１１３ａの径より大きくされているため、内側係合部７が外耳道１１３に挿入されることがなく、収音装置１の耳１００に対する安定した装着状態を確保することができると共に収音部２の外耳道１１３に対する位置の安定化を図ることができる。
【００８９】
中間部８は直線状に形成され、内側係合部７の一端に連続して設けられている。中間部８は内側係合部７が耳甲介腔１１４に位置された状態において、珠間切痕１１５から耳介１０１の前側に導出され、耳介１０１の下端側の部分の前側に位置される。中間部８は上下方向に対して稍傾斜した直線状に形成され、内側係合部７が耳甲介腔１１４に挿入された状態において、上端部が下端部より側頭部２０１に近付いて位置される方向に傾斜されている。このように中間部８は珠間切痕１１５から導出されて耳介１０１の下端側の部分の前側に位置されるため、上記のように、上端部が下端部より側頭部２０１に近付いて位置される方向に傾斜する直線状に形成されることにより、耳介１０１の下端側の部分に干渉し難く、内側係合部７や保持部５の位置を変化させ難く、収音部２の外耳道１１３に対する位置を安定させることができる。
【００９０】
尚、中間部８は略前方に凸の山型に屈曲された線状に形成されていてもよい（図４の丸の中参照）。中間部８が山型に屈曲された線状に形成されることによっても、中間部８が耳介１０１の下端側の部分に干渉し難く、内側係合部７や保持部５の位置を変化させ難く、収音部２の外耳道１１３に対する位置を安定させることができる。
【００９１】
外側係合部９は中間部８の一端に連続して設けられている（図３乃至図５参照）。外側係合部９は中間部８に連続する第１の作用部１０と第１の作用部１０に連続する中間連結部１１と中間連結部１１に連続する第２の作用部１２と第２の作用部１２に連続する終端部１３とによって構成されている。
【００９２】
第１の作用部１０は略上下方向に延びる直線状に形成されている。中間連結部１１は外側係合部９における最も下方に位置され、軸方向が略左右方向になる円弧状に形成されている。第２の作用部１２は中間部８と第１の作用部１０の後側に位置され、上方へ行くに従って中間部８に近付く直線状に形成されている。第２の作用部１２は上端部が内側係合部７と中間部８の連続部分に最も近付いて位置されている。終端部１３は軸方向が略左右方向になる円形状に形成されている。
【００９３】
外側係合部９は、内側係合部７が耳甲介腔１１４に位置された状態において、第１の作用部１０が耳介１０１の前側における下方に位置され、中間連結部１１が耳介１０１の下方において前側から後側に亘る状態で位置され、第２の作用部１２と終端部１３が耳介１０１の後側に位置される（図６参照）。このとき外側係合部９は第２の作用部１２の上端部が耳介１０１の背面における根元部分に係合される（図８参照）。
【００９４】
上記のように、収音装置１は、内側係合部７が耳介１０１の一部に係合されると共に第２の作用部１２が耳介１０１の背面における根元部分に係合されることにより耳１００に装着されるため、収音装置１を耳１００に容易かつ安定した状態で装着することができる。
【００９５】
また、外側係合部９は第１の作用部１０と第２の作用部１２が離接する方向へ弾性変形可能にされている。従って、収音装置１を耳１００に装着するときに、第１の作用部１０と第２の作用部１２が離隔するように弾性変形させて外側係合部９を開いた状態にし（図９参照）、開いた状態の外側係合部９の第１の作用部１０と第２の作用部１２の間に耳介１０１を挿入することにより、収音装置１を耳１００に容易に装着することができる。さらに、収音装置１は、第２の作用部１２が耳介１０１の背面に弾性によって押し付けられた状態で耳介１０１に装着されるため、収音装置１が耳１００から脱落し難く、収音装置１の耳１００への容易かつ安定した装着状態を確保することができる。
【００９６】
＜小括＞
以上に記載した通り、収音装置１にあっては、収音部２が取り付けられ外耳道１１３に挿入される取付部４と、外耳道１１３に挿入され取付部４を外耳道１１３の所定の位置に保持する保持部５と、保持部５を挟んで取付部４の反対側に位置され少なくとも一部が耳介１０１に係合される装着部６とを備え、取付部４と保持部５は外耳道１１３を閉塞せず音響透過性を有する。
【００９７】
従って、収音部２が取り付けられ外耳道１１３に挿入される取付部４と取付部４を外耳道１１３の所定の位置に保持する保持部５とが耳１００に対して外耳道１１３を閉塞しない状態で位置されるため、収音部２へ向かう音波の伝播が阻害され難く、収音部２に対する音声の入力が良好に行われる収音装置１を提供することができる。
【００９８】
特に、第２の作用部１２が耳介１０１の背面に係合されると共に内側係合部７が耳甲介腔１１４に係合した状態で保持されるため、装着状態において収音装置１が耳１００に対してずれ難く、収音装置１の耳１００に対する安定した装着状態を確保することができる。
【００９９】
また、一定の長さの取付部４と保持部５に連続する内側係合部７が耳甲介腔１１４に保持されるため、収音装置１が耳１００に対して繰り返し装着された場合においても取付部４に保持された収音部２の鼓膜１１６に対する位置が常に一定であり、収音部２の鼓膜１１６に対する位置の高い再現性が確保され、測定値の信頼性の向上を図ることができる。尚、収音装置１は左の耳１００と右の耳１００の双方に装着されるが、左右の耳１００、１００においても収音部２、２の鼓膜１１６、１１６に対する位置を常に一定にすることが可能である。
【０１００】
さらに、取付部４と保持部５は外耳道１１３に挿入されたときに取付部４と収音部２が鼓膜１１６に接しない長さにされているため、取付部４と収音部２が鼓膜１１６に接触することがなく、鼓膜１１６を保護することができる。
【０１０１】
さらにまた、取付部４と保持部５と装着部６が何れも線状の材料によって所定の形状に形成されているため、取付部４と保持部５と装着部６の太さが細く、また、体積も小さいため、取付部４と保持部５と装着部６による音波の反射や回折が生じ難く、収音部２への音声の良好な入力状態を確保することができる。
【０１０２】
加えて、取付部４と保持部５と内側係合部７が何れもコイル状に形成されているため、取付部４と保持部５と内側係合部７の体積が小さく、取付部４と保持部５と内側係合部７による音波の反射や回折が一層生じ難く、収音部２への音声の一層良好な入力状態を確保することができる。
【０１０３】
特に、外耳道１１３に挿入される取付部４と保持部５がコイル状に形成されると共に断面形状における外周面が曲面状に形成されているため、万が一、外耳道１１３の壁面１１３ｂに接した場合にも壁面１１３ｂの傷付きを防止することができる。
【０１０４】
＜各部の変形例等＞
以下に、収音装置１の各部の変形例等について説明する。
【０１０５】
［取付部］
先ず、取付部４の変形例について説明する（図１０乃至図１３参照）。
【０１０６】
第１の変形例に係る取付部４Ａは軸方向において各部間に隙間を有した状態でコイル状に形成され、収音部２に巻き付けられている（図１０参照）。収音部２は取付部４Ａに巻き付けられることにより保持され、取付部４Ａに対して交換可能にされている。取付部４Ａを巻き付けることにより収音部２を保持することが可能であるため、収音部２の保持を容易に行うことができる。
【０１０７】
この場合に収音部２の外周面に螺旋状の溝を形成し、この螺旋状の溝に取付部４Ａが巻き付けられてもよい。収音部２の外周面に溝を形成して取付部４Ａを巻き付けることにより、収音部２の取付部４Ａからの脱落を防止することができると共に取付部４Ａによって収音部２を容易に保持することができる。
【０１０８】
第２の変形例に係る取付部４Ｂは直線状に形成され、収音部２の一部に、例えば、接着によって固定されている（図１１参照）。取付部４Ｂは直線状に形成されることにより重量が小さくなるため、収音装置１が軽量化され、耳１００に収音装置１が装着されたときに耳１００に対する負荷が小さく良好な装着感が確保される。
【０１０９】
また、取付部４Ｂは収音部２の音声入力孔２ａが外耳孔１１３ａ側を向いた状態で、収音部２の音声入力孔２ａが形成された面と反対側の面に固定されてもよい（図１２参照）。このように収音部２の音声入力孔２ａが形成された面と反対側の面に取付部４Ｂが固定されることにより、取付部４Ｂによって音声入力孔２ａが閉塞されることがなく、収音部２への音声の良好な入力状態を確保することができる。
【０１１０】
尚、取付部４Ｂが収音部２の音声入力孔２ａが形成された面と反対側の面に固定される場合には、取付部４Ｂの一部が折り返されるように屈曲されるが、この屈曲部分４ｂは曲線状、例えば、半円弧状に屈曲されることが望ましい。取付部４Ｂの屈曲部分４ｂが曲線状に屈曲されることにより、外耳道１１３の壁面１１３ｂを保護することができる。また、屈曲部分４ｂに緩衝材を取り付けて外耳道１１３の壁面１１３ｂと屈曲部分４ｂとの接触を防止して壁面１１３ｂを保護してもよい。
【０１１１】
さらに、収音部２の音声入力孔２ａが形成された面にフィルター１４が取り付けられてもよい（図１３参照）。収音部２の音声入力孔２ａが形成された面にフィルター１４が取り付けられることにより、音声入力孔２ａからの収音部２への耳垢等の異物の侵入が防止され、正確な測定結果を得ることができる。
【０１１２】
尚、収音部２にフィルター１４が取り付けられる構成は、取付部４、４Ａによって収音部２が保護される構成においても用いることが可能である。
【０１１３】
［保持部］
次に、保持部５の変形例について説明する（図１４乃至図２２参照）。
【０１１４】
第１の変形例に係る保持部５Ａはメッシュ状にされ、筒状、例えば、円筒状に形成されている（図１４参照）。保持部５Ａの奥側の端部には取付部４Ａが連続され、取付部４Ａは、例えば、保持部５Ａの内部に位置されている。このようなメッシュ状は、例えば、ポリプロピレンやポリエチレン等の樹脂材料や薄膜の金属材料によって形成することが可能である。また、保持部５Ａは形状記憶合金によって形成されていてもよい。
【０１１５】
メッシュ状の保持部５Ａが用いられることにより、保持部５Ａによって音波の反射や回折が生じ難く、収音部２への音声の良好な入力状態を確保することができる。また、筒状の保持部５Ａの内部に取付部４Ａが位置されることにより、収音部２が外耳道１１３において中空に保持され、収音部２によって外耳道１１３に入力される音声による頭部伝達関数を正確に測定することができる。
【０１１６】
第２の変形例に係る保持部５Ｂはコイル状に形成され、軸方向において径が同じにされている（図１５参照）。保持部５Ｂの奥側の端部には取付部４Ａが連続され、取付部４Ａは保持部５Ｂの内部に位置されている。尚、図１５に示した保持部５Ｂは軸方向において径が同じにされているが、保持部５Ｂは径が同じである必要はなく、例えば、外耳孔１１３ａに向かって径が大きくなる形状であってもよい。
【０１１７】
保持部５Ｂの内部に取付部４Ａが位置されることにより、収音部２が外耳道１１３において中空に保持され、収音部２によって外耳道１１３に入力される音声による頭部伝達関数を正確に測定することができる。
【０１１８】
第３の変形例に係る保持部５Ｃは直線部１５と直線部１５の奥側の端部に連続された環状部１６とによって構成されている（図１６参照）。環状部１６は、例えば、円環状に形成されている。保持部５Ｃの環状部１６には取付部４Ａが連続され、環状部１６の外径は取付部４Ａの外径より大きくされている。
【０１１９】
保持部５Ｃにおける環状部１６の外径が取付部４Ａの外径より大きくされることにより、収音部２が外耳道１１３において中空に保持され、収音部２によって外耳道１１３に入力される音声による頭部伝達関数を正確に測定することができる。また、保持部５Ｃは直線部１５と環状部１６によって構成され重量が小さいため、収音装置１が軽量化され、耳１００に収音装置１が装着されたときに良好な装着感が確保される。
【０１２０】
第４の変形例に係る保持部５Ｄは弾性変形可能な複数の線状部材１７、１７、・・・が周方向に並んで構成され、例えば、泡立て器や茶筅のような形状に形成され、中間部１７ａが外側に膨らみ両側の端部１７ｂ、１７ｃが窄む形状に形成されている（図１７及び図１８参照）。保持部５Ｄの奥側の端部１７ｃには取付部４Ａが連続され、取付部４Ａは、例えば、保持部５Ｄの内部に位置されている。
【０１２１】
保持部５Ｄが外耳道１１３に挿入される前の状態においては、中間部１７ａが最大の大きさで外側に膨らんでいる（図１７参照）。保持部５Ｄが外耳道１１３に挿入されると、中間部１７ａが壁面１１３ｂに摺動され、壁面１１３ｂから受ける力によって中間部１７ａが稍窄んだ状態に弾性変形され全長が稍長くなる（図１８参照）。
【０１２２】
このように外形状が変化される保持部５Ｄが用いられることにより、外耳道１１３の大きさに拘わらず保持部５Ｄが挿入されるため、外耳道１１３の個人間の大きさに拘わらず収音部２を確実に外耳道１１３の内部に挿入することができる。また、保持部５Ｄの内側に取付部４Ａが位置されることにより、収音部２が外耳道１１３において中空に保持され、収音部２によって外耳道１１３に入力される音声による頭部伝達関数を正確に測定することができる。
【０１２３】
第５の変形例に係る保持部５Ｅは一本の第１の線状部材１８と複数の第２の線状部材１９、１９、・・・とによって構成され、第２の線状部材１９、１９、・・・の各一端部が第１の線状部材１８の奥側の端部に結合されている（図１９及び図２０参照）。第２の線状部材１９、１９、・・・は第１の線状部材１８から離隔するに従って外周側に変位するように位置されている。第２の線状部材１９、１９、・・・は弾性変形可能にされている。
【０１２４】
第１の線状部材１８の奥側の端部には取付部４Ａが連続され、取付部４Ａは、例えば、第２の線状部材１９、１９、・・・の内側に位置されている。
【０１２５】
保持部５Ｅが外耳道１１３に挿入される前の状態においては、第２の線状部材１９、１９、・・・が直線状にされている（図１９参照）。保持部５Ｅが外耳道１１３に挿入されると、第２の線状部材１９、１９、・・・が壁面１１３ｂに摺動され、壁面１１３ｂから受ける力によって第２の線状部材１９、１９、・・・が外側に折り返されるように弾性変形される（図２０参照）。尚、第２の線状部材１９、１９、・・・は先端部が直線状ではなくＵ字状に湾曲されていてもよい。これにより、保持部５Ｅの外耳道１１３への挿入時に皮膚に対する接触を柔らかい感じにすることができる。
【０１２６】
このように外形状が変化される保持部５Ｅが用いられることにより、外耳道１１３の大きさに拘わらず保持部５Ｅが挿入されるため、外耳道１１３の個人間の大きさに拘わらず収音部２を確実に外耳道１１３の内部に挿入することができる。また、保持部５Ｅの内側に取付部４Ａが位置されることにより、収音部２が外耳道１１３において中空に保持され、収音部２によって外耳道１１３に入力される音声による頭部伝達関数を正確に測定することができる。
【０１２７】
第６の変形例に係る保持部５Ｆはシート状の材料によって形成されている（図２１参照）。保持部５Ｆの説明においては、取付部は図示しないが、保持部５Ｆは円筒状に丸められたシートが丸めた力を取り除くと径が大きくなるような力を利用した構成にされている。従って、保持部５Ｆは径が小さく丸められた状態で外耳道１１３に挿入され、外耳道１１３に挿入された状態において径が広がり壁面１１３ｂに接した状態にされる。
【０１２８】
第７の変形例に係る保持部５Ｇは袋状の変形可能な材料によって形成されている（図２２参照）。保持部５Ｇの説明においては、取付部は図示しないが、保持部５Ｇは少なくとも一部が螺旋状に形成された袋状の部材に空気が封入されると平面状に変形されるような力を利用した構成にされている。従って、保持部５Ｇは径が小さく丸められた状態で外耳道１１３に挿入され、外耳道１１３に挿入された状態において、内部に空気が封入されることにより平面状に変形する力が加わり、外耳道の壁面１１３ｂ及び外耳道１１３の奥側に向かって展開される。
【０１２９】
尚、第４の変形例乃至第７の変形例に係る保持部５Ｄ、５Ｅ、５Ｆ、５Ｇのように大きさや形状が変形されるタイプの他に、例えば、熱によって膨張又は収縮が行われるような熱膨張性の材料によって形成された構成の保持部を使用することも可能である。
【０１３０】
また、保持部は帯状や波形の板形状に形成されていてもよい。この場合にも、保持部が弾性変形可能にされていてもよい。
【０１３１】
尚、上記には、保持部の各変形例において取付部４Ａが用いられた例を示したが、保持部の各変形例においては取付部４Ａに代えて取付部４又は取付部４Ｂが用いられてもよい。
【０１３２】
［内側係合部］
次いで、内側係合部７の変形例について説明する（図２３参照）。
【０１３３】
変形例に係る内側係合部７Ａは  本体２０とフック２１によって構成されている（図２３参照）。本体２０はコイル状に限らず、他の形状であってもよく、例えば、円柱形状等に形成されている。本体２０は耳甲介腔１１４に挿入される。フック２１は本体２０の上端部から突出され、例えば、直線状又は曲線状の軸形状に形成されている。フック２１は先端部が耳甲介艇１０９に挿入され先端部が耳介１０１の一部に係合される。
【０１３４】
このように内側係合部７は本体２０が耳甲介腔１１４に挿入された状態においてフック２１が耳甲介艇１０９に挿入されて耳介１０１の一部に係合されるため、装着時において収音装置１が耳１００に対してずれることがなく、収音装置１の耳１００に対する安定した装着状態を確保することができる。
【０１３５】
尚、内側係合部は、保持部５Ａと同様にポリプロピレンやポリエチレン等の樹脂材料や薄膜の金属材料によってメッシュ状に形成されてもよく、形状記憶合金によって形成されていてもよい。また、内側係合部は保持部と同様に帯状や波形の板形状に形成されていてもよく、この場合に弾性変形可能にされていてもよい。
【０１３６】
また、内側係合部は各個人の耳介１０１の形状や大きさ及び耳介１０１の襞の形状に応じて選択可能にされ、個人毎に保持部５に対して付け替えて使用することができるようにされていてもよい。
【０１３７】
［外側係合部］
続いて、外側係合部９の変形例について説明する（図２４及び図２５参照）。
【０１３８】
第１の変形例に係る外側係合部９Ａは第２の作用部１２と終端部１３に代えて粘着部２２が設けられている（図２４参照）。粘着部２２は、例えば、シート状に形成され、耳介１０１の背面に貼り付けられる。粘着部２２は耳介１０１に対する貼付と剥離を繰り返し行うことが可能な粘着性を有している。
【０１３９】
このように外側係合部９Ａにおいては粘着部２２を貼り付けることにより収音装置１を耳１００に装着することが可能であるため、収音装置１の耳１００に対する簡単かつ迅速な装着を行うことができる。また、粘着部２２が耳介１０１に貼り付けられることにより、収音装置１の全体が耳１００に対して変位し難く、収音部２の位置ずれを防止することができる。
【０１４０】
第２の変形例に係る外側係合部９Ｂは粘着部２２によって構成されている（図２５参照）。粘着部２２は、顎やこめかみ等に貼り付けられる。
【０１４１】
このように外側係合部９Ｂにおいては粘着部２２を貼り付けることにより装着することが可能であるため、収音装置１の耳１００に対する簡単かつ迅速な装着を行うことができる。また、粘着部２２が耳介１０１に貼り付けられることにより、収音装置１の全体が耳１００に対して変位し難く、収音部２の位置ずれを防止することができる。さらに、外側係合部９Ｂが粘着部２２のみによって構成されているため、収音装置１の小型化及び軽量化を図ることができる。また、外側係合部９Ｂは耳介１０１や顔に沿った形状に形成されていてもよい。これにより、収音部２の位置ずれを防止することができる。
【０１４２】
［接続態様］
次に、左耳用の収音装置１と右耳用の収音装置１とを接続する接続態様について説明する（図２６乃至図２９参照）。収音装置１、１の接続においては、収音部２、２を電気的に接続する接続コード２３と装置本体３、３を機械的に接続する接続部材２４とが用いられる。
【０１４３】
接続コード２３は各種の機器等に接続される接続部２３ａと接続部２３ａに対して左用と右用に分岐された分岐部２３ｂ、２３ｂとを有し、分岐部２３ｂ、２３ｂの各一端部がそれぞれ収音部２、２に接続されている。
【０１４４】
第１の接続態様において、接続コード２３は分岐部２３ｂ、２３ｂが後頭部の下方における後側に位置され、接続部材２４は接続コード２３の分岐部２３ｂ、２３ｂに沿って後頭部の下方における後側に位置される（図２６参照）。接続部材２４は両端部が、例えば、中間連結部１１、１１に連結されている。尚、接続コード２３と接続部材２４のうち両者が沿って位置される部分は結合された状態で位置されていてもよい。
【０１４５】
接続部材２４によって左右の収音装置１、１が連結されることにより、収音装置１、１の全体がそれぞれ耳１００、１００に対して変位し難く、収音部２、２の位置ずれを防止することができる。また、接続部材２４によって左右の装置本体３、３が連結されることにより、何れか一方の収音装置１の紛失防止にも役立つ。
【０１４６】
第２の接続態様において、接続コード２３は分岐部２３ｂ、２３ｂが後頭部の後側に位置され、接続部材２４は接続コード２３に沿って後頭部の後側に位置される（図２７及び図２８参照）。但し、接続部材２４は、装置本体３、３の一部を構成する部材であり、接続部材２４は外側係合部９、９に代えて設けられている。従って、接続部材２４はそれぞれ中間部８、８に連続して設けられている。尚、接続部材２４は中間部８、８と一体に形成されていてもよい。また、接続コード２３と接続部材２４のうち両者が沿って位置される部分は結合された状態で位置されていてもよい。
【０１４７】
接続部材２４が設けられることにより収音装置１、１の全体がそれぞれ耳１００、１００に対して変位し難く、収音部２、２の位置ずれを防止することができる。また、接続部材２４によって何れか一方の収音装置１の紛失防止にも役立つ。さらに、外側係合部９、９が設けられないため、小型化及び製造コストの低減を図ることができる。
【０１４８】
第３の接続態様において、接続コード２３は分岐部２３ｂ、２３ｂがそれぞれ側頭部２０１、２０１の側方に位置され、接続部材２４は頭頂部に沿って位置される（図２９参照）。接続部材２４は両端部が、例えば、終端部１３、１３に連結されている。尚、第３の態様においては、接続部材２４が顎の下を通って位置されていてもよい。
【０１４９】
接続部材２４によって左右の収音装置１、１が連結されることにより、収音装置１、１の全体がそれぞれ耳１００、１００に対して変位し難く、収音部２、２の位置ずれを防止することができる。また、接続部材２４によって左右の収音装置１、１が連結されることにより、何れか一方の収音装置１の紛失防止にも役立つ。
【０１５０】
尚、上記した第１の接続態様、第２の接続態様及び第３の接続態様において、接続コード２３の一部を装置本体３の少なくとも一部、例えば、取付部４と保持部５と内側係合部７と中間部８に沿わせて又は巻き付けて位置させることが可能である（図３０参照）。
【０１５１】
このように接続コード２３の一部を装置本体３の少なくとも一部に沿わせて又は巻き付けて位置させることにより、接続コード２３による音波の反射や回折の発生が抑制され、収音部２への音声の良好な入力状態を確保することができる。
【０１５２】
尚、接続コード２３の一部を装置本体３に沿わせる場合に、接続コード２３の外周面と装置本体３の外周面とを、例えば、接着等によって結合させることも可能である（図３１参照）。この場合には、接続コード２３が装置本体３から離隔したり解けたりし難いため、収音装置１の良好な取扱性を確保することができる。
【０１５３】
また、装置本体３の内部に接続コード２３を、例えば、同心円状に位置させる構成にすることも可能である（図３２参照）。この場合にも、収音装置１の良好な取扱性を確保することができる他、接続コード２３の耐久性の向上を図ることができる。
【０１５４】
尚、装置本体３の各部が金属等の導体で形成されている場合には、装置本体３を導電部として用いることも可能である。例えば、装置本体３をグランド線として用い、接続コード２３を信号線として用いることにより、接続コード２３の径を細くすることができる。
【０１５５】
また、接続コード２３は耳介１０１の上側を通して位置させることも可能である（図３３参照）。接続コード２３を耳介１０１の上側を通して位置させることにより、接続コード２３が耳介１０１の背面側に位置されるため、接続コード２３と収音装置１の干渉を抑制することができる。
【０１５６】
［その他］
続いて、収音装置１における他の各構成について説明する（図３４及び図３５参照）。
【０１５７】
収音部２に関し、無線化をすることが可能である（図３４参照）。この場合に、例えば、外側係合部９には耳介１０１の背面に貼り付けられ又は押し付けられる無線通信用のモジュール２５が取り付けられ、モジュール２５と収音部２は信号線２６によって接続される。モジュール２５にはバッテリー２７が内蔵されている。無線通信によって収音部２に入力された音声は音声信号として信号線２６を介してモジュール２５に送信され、モジュール２５から無線によって測定器等の他の機器に送信される。
【０１５８】
このように無線化を行うことにより測定器等と収音部２を接続するための接続コードが不要になり、構造の簡素化を図ることができる。
【０１５９】
収音装置１には収音部２に加えてスピーカー等の音響出力部が設けられていてもよい。この場合に、収音部２に入力された周囲の音声信号（騒音）に対して逆位相の音声信号を出力して騒音を聞こえ難くするノイズキャンセリング機能が搭載されてもよい。
【０１６０】
また、耳穴開放型のイヤホン等の音響出力部やイヤーカフを有するタイプのイヤホン等の音響出力部に、例えば、取付部４と保持部５を取り付け、収音部２と音響出力部の双方を有する装置が構成されてもよい。さらに、取付部４に、収音部２に加えてバランスドアーマチュアーである音響出力部を取り付けることにより、収音部２と音響出力部の双方を有する装置を構成することも可能である。
【０１６１】
さらに、収音装置１にはセンサーが取り付けられていてもよい。センサーは、例えば、外耳道１１３に挿入される取付部４又は保持部５に取り付けられることが望ましい。センサーは、例えば、距離測定用のセンサーや接触型のセンサー等が用いられる。また、センサーに代えてカメラが設けられていてもよい。
【０１６２】
例えば、センサーやカメラによって収音装置１の耳１００に対する装着状態や外耳道１１３に対する収音部２の位置を検出することにより、適正な位置に収音部２を保持することが可能になると共に収音部２の位置に関して各測定時における高い再現性を確保することができる。また、左右の耳１００、１００において外耳道１１３、１１３に対する収音部２、２の位置を一致させることもできる。
【０１６３】
また、センサーによって測定時の情報を検出してもよい。例えば、測定時における被験者の心拍数、脈拍数、呼吸、血圧、体温等のバイタルサインや温度や湿度等の気象情報等を検出してもよい。さらには、加速度センサー等を用いて被験者の頭部２００の傾きや傾き方向等を検出してもよい。
【０１６４】
さらに、収音装置１には、例えば、マイクロマシーン技術が用いられたアクチュエーターが取り付けられていてもよい。アクチュエーターによって、例えば、取付部４や保持部５の外耳道１１３への挿入や外耳道１１３における収音部２の位置の制御等を行うことが可能である。また、センサーによって検出された情報に基づいてアクチュエーターを動作させることにより、収音部２を外耳道１１３における適正な位置に位置決めすることも可能である。
【０１６５】
また、収音部２として、例えば、微細加工技術を用いたＭＥＭＳ（Micro Electro Mechanical Systems）マイクロフォン等が用いられてもよい（図３５参照）。収音部２としてＭＥＭＳマイクロフォンが用いられる場合には、ＭＥＭＳマイクロフォンが略直方体状に形成され音声入力孔２ａが厚み方向における一方の面に形成されているため、収音部２を外耳道１１３に対する挿入方向に対して音声入力孔２ａが外耳孔１１３ａ側を向くように傾斜させることが望ましい。
【０１６６】
ＭＥＭＳマイクロフォン等は大型であるため、厚み方向を外耳道１１３に対する挿入方向に一致させる場合には外耳道１１３に挿入することが困難であるが、傾斜させることにより外耳道１１３に挿入することが可能になり、音声の外耳道１１３の入口から鼓膜１１６への伝播経路及び鼓膜１１６で反射した音声の音声入力孔２ａへの伝播経路が確保される。また、音声入力孔２ａが外耳孔１１３ａ側を向くように傾斜させることにより音声の音声入力孔２ａへの伝播経路が十分確保される。
【０１６７】
従って、収音部２としてＭＥＭＳマイクロフォン等が用いられる場合に、収音部２を外耳道１１３に対する挿入方向に対して音声入力孔２ａが外耳孔１１３ａ側を向くように傾斜させることにより、収音部２の外耳道１１３への良好な挿入性を確保することができると共に収音部２への音声の良好な入力状態を確保することができる。
【０１６８】
＜本技術＞
本技術は、以下のような構成にすることができる。
【０１６９】
（１）
収音部が取り付けられ外耳道に挿入される取付部と、
外耳道に挿入され前記取付部を外耳道の所定の位置に保持する保持部と、
前記保持部を挟んで前記取付部の反対側に位置され少なくとも一部が耳介に係合される装着部とを備え、
前記取付部と前記保持部は外耳道を閉塞せず音響透過性を有する
収音装置。
【０１７０】
（２）
前記取付部が外耳道において中空に保持される
前記（１）に記載の収音装置。
【０１７１】
（３）
前記収音部は音声入力孔が外耳道の入口側に開口した状態で位置される
前記（１）又は前記（２）に記載の収音装置。
【０１７２】
（４）
前記収音部は音声入力孔が外耳道の入口に対して鼓膜側に位置される
前記（１）から前記（３）の何れかに記載の収音装置。
【０１７３】
（５）
前記取付部と前記保持部が一体に形成された
前記（１）から前記（４）の何れかに記載の収音装置。
【０１７４】
（６）
前記保持部と前記装着部が一体に形成された
前記（１）から前記（５）の何れかに記載の収音装置。
【０１７５】
（７）
前記取付部が線状の材料によって所定の形状に形成された
前記（１）から前記（６）の何れかに記載の収音装置。
【０１７６】
（８）
前記取付部がコイル状に形成された
前記（７）に記載の収音装置。
【０１７７】
（９）
前記収音部が前記取付部の内側に位置された
前記（１）から前記（８）の何れかに記載の収音装置。
【０１７８】
（１０）
前記収音部が前記取付部に着脱可能にされた
前記（１）から前記（９）の何れかに記載の収音装置。
【０１７９】
（１１）
前記保持部が線状の材料によって所定の形状に形成された
前記（１）から前記（１０）の何れかに記載の収音装置。
【０１８０】
（１２）
前記保持部がコイル状に形成された
前記（１１）に記載の収音装置。
【０１８１】
（１３）
前記保持部が弾性変形可能にされた
前記（１）から前記（１２）の何れかに記載の収音装置。
【０１８２】
（１４）
前記保持部が前記取付部に近付くに従って外形状が小さくなる形状に形成された
前記（１）から前記（１３）の何れかに記載の収音装置。
【０１８３】
（１５）
前記装着部が線状の材料によって所定の形状に形成された
前記（１）から前記（１４）の何れかに記載の収音装置。
【０１８４】
（１６）
前記装着部には前記保持部に連続され少なくとも一部が耳介に係合される内側係合部が設けられ、
前記内側係合部がコイル状に形成された
前記（１５）に記載の収音装置。
【０１８５】
（１７）
前記装着部には前記保持部に連続され少なくとも一部が耳介に係合される内側係合部が設けられ、
前記内側係合部が前記保持部に離接する方向へ弾性変形可能にされ、
前記内側係合部が耳甲介腔に位置される
前記（１）から前記（１６）の何れかに記載の収音装置。
【０１８６】
（１８）
前記装着部には前記保持部に連続され少なくとも一部が耳介に係合される内側係合部が設けられ、
前記内側係合部の外径が外耳道の入口の径より大きくされた
前記（１）から前記（１７）の何れかに記載の収音装置。
【０１８７】
（１９）
前記装着部には一部が耳介の背面に係合される外側係合部が設けられた
前記（１）から前記（１８）の何れかに記載の収音装置。
【０１８８】
（２０）
前記外側係合部には一対の作用部が設けられ、
前記外側係合部は前記一対の作用部が離接する方向へ弾性変形可能にされ、
一方の前記作用部が耳介の背面に押し付けられる
前記（１９）に記載の収音装置。
【産業上の利用可能性】
【０１８９】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。【０１９０】
本明細書で開示する技術を適用した収音装置は、ユーザの耳に装着して用いられるが、「耳穴開放型」という点で従来のバイノーラルマイクとは大きく異なる。従って、本明細書で開示する技術を適用した収音装置は、装着状態においても非装着状態と同等の周囲音の聴取特性を実現しつつ、外耳道の内壁での回折や反射や鼓膜からの反射の影響をも考慮した精密なバイノーラル録音や、外耳道の形状や鼓膜からの反射音の影響をも考慮して、音の変化を表現した精度の高い頭部伝達関数を求めることが可能である。【０１９１】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【０１９２】
１００…耳、１０１…耳介、１１０…対耳珠、１１１…耳珠、１１３…外耳道、１１４…耳甲介腔、１１６…鼓膜、１…収音装置、２…収音部、２ａ…音声入力孔、４…取付部、５…保持部、６…装着部、７…内側係合部、９…外側係合部、１０…第１の作用部、１２…第２の作用部、４Ａ…取付部、４Ｂ…取付部、５Ａ…保持部、５Ｂ…保持部、５Ｃ…保持部、５Ｄ…保持部、５Ｅ…保持部、５Ｆ…保持部、５Ｇ…保持部、７Ａ…内側係合部
【図１】
2020021815.tif 000003
【図２】
2020021815.tif 000004
【図３】
2020021815.tif 000005
【図４】
2020021815.tif 000006
【図５】
2020021815.tif 000007
【図６】
2020021815.tif 000008
【図７】
2020021815.tif 000009
【図８】
2020021815.tif 000010
【図９】
2020021815.tif 000011
【図１０】
2020021815.tif 000012
【図１１】
2020021815.tif 000013
【図１２】
2020021815.tif 000014
【図１３】
2020021815.tif 000015
【図１４】
2020021815.tif 000016
【図１５】
2020021815.tif 000017
【図１６】
2020021815.tif 000018
【図１７】
2020021815.tif 000019
【図１８】
2020021815.tif 000020
【図１９】
2020021815.tif 000021
【図２０】
2020021815.tif 000022
【図２１】
2020021815.tif 000023
【図２２】
2020021815.tif 000024
【図２３】
2020021815.tif 000025
【図２４】
2020021815.tif 000026
【図２５】
2020021815.tif 000027
【図２６】
2020021815.tif 000028
【図２７】
2020021815.tif 000029
【図２８】
2020021815.tif 000030
【図２９】
2020021815.tif 000031
【図３０】
2020021815.tif 000032
【図３１】
2020021815.tif 000033
【図３２】
2020021815.tif 000034
【図３３】
2020021815.tif 000035
【図３４】
2020021815.tif 000036
【図３５】
2020021815.tif 000037
【国際調査報告】
2020021815.tif 000038
2020021815.tif 000039